(57)【特許請求の範囲】
【請求項１】
無線ローカルエリアネットワークにおけるチャネルサウンディングのための方法であって、該方法は、
該チャネルサウンディングを開始するために、送信機からヌルデータパケットアナウンスメント（ＮＤＰＡ）フレームを受信することと、
該ＮＤＰＡフレーム受信の後に、該送信機からヌルデータパケット（ＮＤＰ）を受信することと、
第１の報告フィールドと第２の報告フィールドとを含むフレームを生成することであって、該第１の報告フィールドは、ビーム形成情報を含み、該第２の報告フィールドは、ＳＮＲ情報を含み、該第１および第２の報告フィールドは、複数のセグメントに分けられている、ことと、
メディアアクセス制御（ＭＡＣ）プロトコールデータユニット（ＭＰＤＵ）において該複数のセグメントを送信することと
を含み、
該複数のセグメントの各々は、最初のセグメントサブフィールドおよび残りのセグメントサブフィールドによって識別され、
該最初のセグメントサブフィールドは、対応するセグメントが該複数のセグメントの最初のセグメントであるか否かを指示し、
該残りのセグメントサブフィールドは、残りのセグメントの個数を指示する、方法。
【請求項２】
前記セグメントが最後のセグメントである場合に、前記残りのセグメントサブフィールドが０に設定され、および／または、
該セグメントが前記最初のセグメントである場合に、前記最初のセグメントサブフィールドが１に設定され、該セグメントが該最初のセグメントではない場合に、該最初のセグメントサブフィールドが０に設定される、請求項１に記載の方法。
【請求項３】
前記フレームのサイズが特定値以上である場合に、前記第１および第２の報告フィールドを前記複数のセグメントに分けることをさらに含み、および／または、
前記メディアアクセス制御（ＭＡＣ）プロトコールデータユニット（ＭＰＤＵ）において前記複数のセグメントを送信するステップは、単一の集合ＭＰＤＵ（Ａ−ＭＰＤＵ）において該複数のセグメントを送信することを含む、請求項１〜２のいずれかに記載の方法。
【請求項４】
無線ローカルエリアネットワークにおいてチャネルサウンディングを実行するように構成された装置であって、該装置は、
トランシーバと、
該トランシーバに作用可能に接続されたプロセッサと
を含み、
該トランシーバは、
該チャネルサウンディングを開始するために、送信機からヌルデータパケットアナウンスメント（ＮＤＰＡ）フレームを受信することと、
該ＮＤＰＡフレーム受信の後に、該送信機からヌルデータパケット（ＮＤＰ）を受信することと
を行うように構成されており、
該プロセッサは、
第１の報告フィールドと第２の報告フィールドとを含むフレームを生成することであって、該第１の報告フィールドは、ビーム形成情報を含み、該第２の報告フィールドは、ＳＮＲ情報を含み、該第１および第２の報告フィールドは、複数のセグメントに分けられている、ことと、
メディアアクセス制御（ＭＡＣ）プロトコールデータユニット（ＭＰＤＵ）において該複数のセグメントを送信するように該トランシーバに命令することと
を行うように構成されており、
該複数のセグメントの各々は、最初のセグメントサブフィールドおよび残りのセグメントサブフィールドによって識別され、
該最初のセグメントサブフィールドは、対応するセグメントが該複数のセグメントの最初のセグメントであるか否かを指示し、
該残りのセグメントサブフィールドは、残りのセグメントの個数を指示する、装置。
【請求項５】
前記セグメントが最後のセグメントである場合に、前記残りのセグメントサブフィールドが０に設定され、および／または、
該セグメントが前記最初のセグメントである場合に、前記最初のセグメントサブフィールドが１に設定され、該セグメントが該最初のセグメントではない場合に、該最初のセグメントサブフィールドが０に設定される、請求項４に記載の装置。
【請求項６】
前記プロセッサは、前記フレームのサイズが特定値以上である場合に、前記第１および第２の報告フィールドを前記複数のセグメントに分けるように構成されており、および／または、
前記プロセッサは、単一の集合ＭＰＤＵ（Ａ−ＭＰＤＵ）において該複数のセグメントを送信するように前記トランシーバに命令するように構成されている、請求項４〜５のいずれかに記載の装置。
【請求項７】
無線ローカルエリアネットワークにおけるチャネルサウンディングのための方法であって、該方法は、
該チャネルサウンディングを開始するために、ヌルデータパケットアナウンスメント（ＮＤＰＡ）フレームを受信機に送信することと、
該ＮＤＰＡフレーム送信の後に、ヌルデータパケット（ＮＤＰ）を該受信機に送信することと、
メディアアクセス制御（ＭＡＣ）プロトコールデータユニット（ＭＰＤＵ）において複数のセグメントを介してフレームを受信することと
を含み、
該フレームは、第１の報告フィールドと第２の報告フィールドとを含み、該第１の報告フィールドは、ビーム形成情報を含み、該第２の報告フィールドは、ＳＮＲ情報を含み、該第１および第２の報告フィールドは、該複数のセグメントに分けられており、
該複数のセグメントの各々は、最初のセグメントサブフィールドおよび残りのセグメントサブフィールドによって識別され、
該最初のセグメントサブフィールドは、対応するセグメントが該複数のセグメントの最初のセグメントであるか否かを指示し、
該残りのセグメントサブフィールドは、残りのセグメントの個数を指示する、方法。
【請求項８】
前記セグメントが最後のセグメントである場合に、前記残りのセグメントサブフィールドが０に設定され、および／または、
該セグメントが前記最初のセグメントである場合に、前記最初のセグメントサブフィールドが１に設定され、該セグメントが該最初のセグメントではない場合に、該最初のセグメントサブフィールドが０に設定される、請求項７に記載の方法。
【請求項９】
前記フレームのサイズが特定値以上である場合に、前記第１および第２の報告フィールドは、前記複数のセグメントに分けられ、および／または、
該複数のセグメントを介して前記フレームを受信するステップは、単一の集合ＭＰＤＵ（Ａ−ＭＰＤＵ）において該複数のセグメントを受信することを含む、請求項７〜８のいずれかに記載の方法。
【請求項１０】
無線ローカルエリアネットワークにおいてチャネルサウンディングを実行するように構成された装置であって、該装置は、
トランシーバと、
該トランシーバに作用可能に接続されたプロセッサと
を含み、
該プロセッサは、
該チャネルサウンディングを開始するために、ヌルデータパケットアナウンスメント（ＮＤＰＡ）フレームを受信機に送信するように該トランシーバに命令することと、
該ＮＤＰＡフレーム送信の後に、ヌルデータパケット（ＮＤＰ）を該受信機に送信することと
を行うように構成されており、
該トランシーバは、メディアアクセス制御（ＭＡＣ）プロトコールデータユニット（ＭＰＤＵ）において複数のセグメントを介してフレームを受信するように構成されており、
該フレームは、第１の報告フィールドと第２の報告フィールドとを含み、該第１の報告フィールドは、ビーム形成情報を含み、該第２の報告フィールドは、ＳＮＲ情報を含み、該第１および第２の報告フィールドは、該複数のセグメントに分けられており、
該複数のセグメントの各々は、最初のセグメントサブフィールドおよび残りのセグメントサブフィールドによって識別され、
該最初のセグメントサブフィールドは、対応するセグメントが該複数のセグメントの最初のセグメントであるか否かを指示し、
該残りのセグメントサブフィールドは、残りのセグメントの個数を指示する、装置。
【請求項１１】
前記セグメントが最後のセグメントである場合に、前記残りのセグメントサブフィールドが０に設定され、および／または、
該セグメントが前記最初のセグメントである場合に、前記最初のセグメントサブフィールドが１に設定され、該セグメントが該最初のセグメントではない場合に、該最初のセグメントサブフィールドが０に設定される、請求項１０に記載の装置。
【請求項１２】
前記フレームのサイズが特定値以上である場合に、前記第１および第２の報告フィールドは、前記複数のセグメントに分けられ、および／または、
前記トランシーバは、単一の集合ＭＰＤＵ（Ａ−ＭＰＤＵ）において該複数のセグメントを受信するように構成されている、請求項１０〜１１のいずれかに記載の装置。
【発明の詳細な説明】
【技術分野】
【０００１】
本発明は、無線ＬＡＮシステムに関し、より詳しくは、無線ＬＡＮシステムにおけるステーション（Ｓｔａｔｉｏｎ；ＳＴＡ）間チャネルサウンディング手順及びこれをサポートする装置に関する。
【背景技術】
【０００２】
最近、情報通信技術の発展とともに多様な無線通信技術が開発されている。このうち無線ＬＡＮ（ＷＬＡＮ）は、無線周波数技術に基づいて個人携帯用情報端末機（Ｐｅｒｓｏｎａｌ  Ｄｉｇｉｔａｌ  Ａｓｓｉｓｔａｎｔ；ＰＤＡ）、ラップトップコンピュータ、携帯用マルチメディアプレーヤ（Ｐｏｒｔａｂｌｅ  Ｍｕｌｔｉｍｅｄｉａ  Ｐｌａｙｅｒ；ＰＭＰ）等のような携帯用端末機を用いて家庭や企業または特定サービス提供地域で無線でインターネットに接続することができるようにする技術である。
【０００３】
無線ＬＡＮで脆弱点と指摘されてきた通信速度に対する限界を克服するために、比較的最近に制定された技術規格としてＩＥＥＥ８０２．１１ｎがある。ＩＥＥＥ８０２．１１ｎは、ネットワークの速度と信頼性を増加させ、無線ネットワークの運営距離を拡張することを目的にする。より具体的に、ＩＥＥＥ８０２．１１ｎでは、データ処理速度が最大５４０Ｍｂｐｓ以上である高処理率（Ｈｉｇｈ  Ｔｈｒｏｕｇｈｐｕｔ；ＨＴ）をサポートし、送信エラーを最小化してデータ速度を最適化するために、送信部と受信部の両方ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づく。
【０００４】
ＷＬＡＮの普及が活性化され、これを用いたアプリケーションが多様化されることによって、最近にはＩＥＥＥ８０２．１１ｎがサポートするデータ処理速度より高い処理率をサポートするための新たなＷＬＡＮシステムに対する必要性が台頭されている。超高処理率（Ｖｅｒｙ  Ｈｉｇｈ  Ｔｈｒｏｕｇｈｐｕｔ；ＶＨＴ）をサポートする次世代無線ＬＡＮシステムは、ＩＥＥＥ８０２．１１ｎ無線ＬＡＮシステムの次のバージョンであり、ＭＡＣサービス接続ポイント（Ｓｅｒｖｉｃｅ  Ａｃｃｅｓｓ  Ｐｏｉｎｔ；ＳＡＰ）で１Ｇｂｐｓ以上のデータ処理速度をサポートするために最近に新たに提案されているＩＥＥＥ８０２．１１無線ＬＡＮシステムのうち一つである。
【０００５】
次世代無線ＬＡＮシステムは、無線チャネルを効率的に用いるために、複数の非ＡＰ  ＳＴＡが同時にチャネルに接近するＭＵ−ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）方式の送信をサポートする。ＭＵ−ＭＩＭＯ送信方式によると、ＡＰがＭＩＭＯペアリングされた一つ以上のＳＴＡに同時にフレームを送信することができる。
【０００６】
ＡＰとＭＵ−ＭＩＭＯペアリングされた複数のＳＴＡは、各々異なる能力値（ｃａｐａｂｉｌｉｔｙ）を有するようになることができる。この時、ＳＴＡの種類、使用目的、チャネル環境などによってサポートを受けることができる帯域幅、ＭＣＳ（Ｍｏｄｕｌａｔｉｏｎ  Ｃｏｄｉｎｇ  Ｓｃｈｅｍｅ）、ＦＥＣ（Ｆｏｒｗａｒｄ  Ｅｒｒｏｒ  Ｃｏｒｒｅｃｔｉｏｎ）などが異なる。
【０００７】
無線ＬＡＮシステムにおけるＡＰ及び／またはＳＴＡは、受信対象ＡＰ及び／またはＳＴＡにフレームの送信において使用するチャネルに対する情報を獲得することができる。これはチャネルサウンディング手順を介して実行されることができる。即ち、送信者は受信者にフレーム送受信のために使用するチャネル情報を要求し、受信者はチャネルを推定し、これに対するチャネル情報を送信者にフィードバックする過程がデータフレーム送受信以前に実行されることができる。一方、次世代無線ＬＡＮシステムは、より広いチャネル帯域幅とＭＵ−ＭＩＭＯ送信技法が導入されるため、送信対象ＡＰ及び／またはＳＴＡから受信を受けるチャネル情報の量がより一層多くなることができる。より多いフィードバック情報を送信するために、送信対象ＡＰ及び／またはＳＴＡはより長い時間チャネルに接近しなければならない。この期間中送受信されるフィードバック情報の一部に干渉が発生する場合、全体フィードバック情報を破棄し、新たなフィードバック情報を必要とするようになる。これはリソース使用の効率性側面とチャネルサウンディング手順の信頼性が低下を引き起こすことができる。従って、次世代無線ＬＡＮシステムで前記のような問題を解決することができるチャネルサウンディング方法が要求される。
【発明の概要】
【発明が解決しようとする課題】
【０００８】
本発明が解決しようとする技術的課題は、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）送信技法をサポートする次世代無線ＬＡＮシステムでステーション（Ｓｔａｔｉｏｎ；ＳＴＡ）によるサウンディング方法を提供することである。
【課題を解決するための手段】
【０００９】
一態様で、無線ＬＡＮシステムにおけるチャネルサウンディング（ｃｈａｎｎｅｌ  ｓｏｕｎｄｉｎｇ）方法が提供される。前記方法は、送信機は、チャネルサウンディング手順を開始するためにＮＤＰＡ（Ｎｕｌｌ  Ｄａｔａ  Ｐａｃｋｅｔ  Ａｎｎｏｕｎｃｅｍｅｎｔ）フレームを受信機に送信し、前記送信機は、ＮＤＰ（Ｎｕｌｌ  Ｄａｔａ  Ｐａｃｋｅｔ）を前記受信機に送信し、及び前記送信機は、フィードバックフレームを前記受信機から受信することを含む。前記フィードバックフレームは、複数のセグメントフレーム及びチャネルフィードバック報告を含む。前記チャネルフィードバック報告は、複数のフィードバックセグメントに分けられる。前記複数のフィードバックセグメントの各々は、前記複数のセグメントフレームの各々に含まれる。前記複数のセグメントフレームの各々は、含まれた前記複数のフィードバックセグメントの各々が最初のセグメントか否かを指示する最初のセグメントサブフィールド（ｆｉｒｓｔ  ｓｅｇｍｅｎｔ  ｓｕｂｆｉｅｌｄ）及び残りのフィードバックセグメントの個数を指示する残りのセグメントサブフィールド（ｒｅｍａｉｎｉｎｇ  ｓｕｂｆｉｅｌｄ）をさらに含む。
【００１０】
前記送信機は、前記最初のセグメントサブフィールド及び前記残りのセグメントサブフィールドに基づいて前記複数のフィードバックセグメントのうち少なくとも一つのフィードバックセグメントが欠落されたか否かを判断するステップ；及び、欠落された（ｍｉｓｓｅｄ）フィードバックセグメントが検出される場合、前記受信機に前記欠落されたフィードバックセグメントに対する再送信要求情報を送信するステップ；をさらに含む。
【００１１】
前記複数のフィードバックセグメントは、最後のフィードバックセグメントを除いた残りが同じ大きさを有する。
【００１２】
前記フィードバックフレームは、物理階層（ｐｈｙｓｉｃａｌ）で管理されるデータユニットに送信されるＡ−ＭＰＤＵ（ａｇｇｒｅｇａｔｅ  ＭＡＣ  ｐｒｏｔｏｃｏｌ  ｄａｔａ  ｕｎｉｔ）であり、前記セグメントフレームは、無線ＬＡＮシステムのＭＡＣエンティティ（ｍｅｄｉｕｍ  ａｃｃｅｓｓ  ｃｏｎｔｒｏｌ  ｅｎｔｉｔｙ）が互いに交換するＭＰＤＵ（ＭＡＣ  ｐｒｏｔｏｃｏｌ  ｄａｔａ  ｕｎｉｔ）である。
【００１３】
前記チャネルフィードバック報告の大きさが特定値以上の場合、前記チャネルフィードバック報告は、前記複数のフィードバックセグメントに分けられる。
【００１４】
前記チャネルフィードバック報告は、前記送信機がステアリング行列（ｓｔｅｅｒｉｎｇ  ｍａｔｒｉｘ）を決定するために使用するフィードバック情報を含む。
【００１５】
前記チャネルフィードバック報告は、各空間ストリームに対するＳＮＲ（Ｓｉｇｎａｌ  ｔｏ  ｒａｔｉｏ）に関するフィードバック情報をさらに含む。
【００１６】
前記再送信要求情報は、前記欠落されたフィードバックセグメントのインデックスに該当するビット値が１に設定されたビットマップシーケンス（ｂｉｔｍａｐ  ｓｅｑｕｅｎｃｅ）である。
【００１７】
前記送信機は、前記欠落されたフィードバックセグメントを前記受信機から受信することをさらに含む。
【００１８】
他の態様において、無線ＬＡＮシステムにおけるチャネルサウンディング方法が提供される。前記方法は、受信機は、送信機がチャネルサウンディング手順を開始するために送信するＮＤＰＡフレームを受信し、前記ＮＤＰＡフレームは、前記受信機の識別子を含み、前記受信機は、チャネルフィードバック報告を含むフィードバックフレームを生成し、及び前記フィードバックフレームを前記送信機に送信することを含む。前記フィードバックフレームを生成することは、前記チャネルフィードバック報告を複数のフィードバックセグメントに分け、及び複数のセグメントフィードバックフレームを含ませて前記フィードバックフレームを生成することを含む。前記複数のセグメントフィードバックフレームの各々は、各々の前記複数のフィードバックセグメント、含まれた前記複数のフィードバックセグメントの各々が最初のセグメントか否かを指示する最初のセグメントサブフィールド、及び残りのフィードバックセグメントの個数を指示する残りのセグメントサブフィールドを各々含む。
【００１９】
他の一態様において、無線装置が提供される。前記装置は、フレームを送信及び受信するトランシーバ(ｔｒａｎｓｃｅｉｖｅｒ)及び前記トランシーバと機能的に結合して動作するプロセッサ(ｐｒｏｃｅｓｓｏｒ)を含む。前記プロセッサは、チャネルサウンディング手順を開始するためにＮＤＰＡフレームを受信機に送信し、ＮＤＰを前記受信機に送信し、及びフィードバックフレームを前記受信機から受信するように設定される。前記フィードバックフレームは、複数のセグメントフレーム及びチャネルフィードバック報告を含む。前記チャネルフィードバック報告は、複数のフィードバックセグメントに分けられる。前記複数のフィードバックセグメントの各々は、前記複数のセグメントフレームの各々に含まれる。前記複数のセグメントフレームの各々は、含まれた前記複数のフィードバックセグメントの各々が最初のセグメントか否かを指示する最初のセグメントサブフィールド(ｆｉｒｓｔｓｅｇｍｅｎｔ ｓｕｂｆｉｅｌｄ)、及び残りのフィードバックセグメントの個数を指示する残りのセグメントサブフィールド(ｒｅｍａｉｎｉｎｇ ｓｕｂｆｉｅｌｄ)をさらに含む。
本発明は、例えば以下の項目を提供する。
（項目１）
無線ＬＡＮシステムにおけるチャネルサウンディング（ｃｈａｎｎｅｌ  ｓｏｕｎｄｉｎｇ）方法において、
送信機は、チャネルサウンディング手順を開始するためにＮＤＰＡ（Ｎｕｌｌ  Ｄａｔａ  Ｐａｃｋｅｔ  Ａｎｎｏｕｎｃｅｍｅｎｔ）フレームを受信機に送信し；
前記送信機は、ＮＤＰ（Ｎｕｌｌ  Ｄａｔａ  Ｐａｃｋｅｔ）を前記受信機に送信し；及び、
前記送信機は、フィードバックフレームを前記受信機から受信すること；を含み、
前記フィードバックフレームは、複数のセグメントフレーム及びチャネルフィードバック報告を含み、
前記チャネルフィードバック報告は、複数のフィードバックセグメントに分けられ、
前記複数のフィードバックセグメントの各々は、前記複数のセグメントフレームの各々に含まれ、
前記複数のセグメントフレームの各々は、
含まれた前記複数のフィードバックセグメントの各々が最初のセグメントか否かを指示する最初のセグメントサブフィールド（ｆｉｒｓｔ  ｓｅｇｍｅｎｔ  ｓｕｂｆｉｅｌｄ）；及び、
残りのフィードバックセグメントの個数を指示する残りのセグメントサブフィールド（ｒｅｍａｉｎｉｎｇ  ｓｕｂｆｉｅｌｄ）；
をさらに含むことを特徴とするチャネルサウンディング方法。
（項目２）
前記送信機は、前記最初のセグメントサブフィールド及び前記残りのセグメントサブフィールドに基づいて前記複数のフィードバックセグメントのうち少なくとも一つのフィードバックセグメントが欠落されたか否かを判断するステップ；及び、
欠落された（ｍｉｓｓｅｄ）フィードバックセグメントが検出される場合、前記受信機に前記欠落されたフィードバックセグメントに対する再送信要求情報を送信するステップ；
をさらに含む項目１に記載のチャネルサウンディング方法。
（項目３）
前記複数のフィードバックセグメントは、最後のフィードバックセグメントを除いた残りが同じ大きさを有することを特徴とする項目２に記載のチャネルサウンディング方法。
（項目４）
前記フィードバックフレームは、物理階層（ｐｈｙｓｉｃａｌ）で管理されるデータユニットに送信されるＡ−ＭＰＤＵ（ａｇｇｒｅｇａｔｅ  ＭＡＣ  ｐｒｏｔｏｃｏｌ  ｄａｔａ  ｕｎｉｔ）であり、前記セグメントフレームは、無線ＬＡＮシステムのＭＡＣエンティティ（ｍｅｄｉｕｍ  ａｃｃｅｓｓ  ｃｏｎｔｒｏｌ  ｅｎｔｉｔｙ）が互いに交換するＭＰＤＵ（ＭＡＣ  ｐｒｏｔｏｃｏｌ  ｄａｔａ  ｕｎｉｔ）であることを特徴とする項目３に記載のチャネルサウンディング方法。
（項目５）
前記チャネルフィードバック報告の大きさが特定値以上の場合、前記チャネルフィードバック報告は、前記複数のフィードバックセグメントに分けられることを特徴とする項目２に記載のチャネルサウンディング方法。
（項目６）
前記チャネルフィードバック報告は、前記送信機がステアリング行列（ｓｔｅｅｒｉｎｇ  ｍａｔｒｉｘ）を決定するために使用するフィードバック情報を含むことを特徴とする項目２に記載のチャネルサウンディング方法。
（項目７）
前記チャネルフィードバック報告は、各空間ストリームに対するＳＮＲ（Ｓｉｇｎａｌ  ｔｏ  ｒａｔｉｏ）に関するフィードバック情報をさらに含むことを特徴とする項目６に記載のチャネルサウンディング方法。
（項目８）
前記再送信要求情報は、前記欠落されたフィードバックセグメントのインデックスに該当するビット値が１に設定されたビットマップシーケンス（ｂｉｔｍａｐ  ｓｅｑｕｅｎｃｅ）であることを特徴とする項目２に記載のチャネルサウンディング方法。
（項目９）
前記送信機は、前記欠落されたフィードバックセグメントを前記受信機から受信することをさらに含む項目８に記載のチャネルサウンディング方法。
（項目１０）
無線ＬＡＮシステムにおけるチャネルサウンディング（ｃｈａｎｎｅｌ  ｓｏｕｎｄｉｎｇ）方法において、
受信機は、送信機がチャネルサウンディング手順を開始するために送信するＮＤＰＡフレームを受信し、前記ＮＤＰＡフレームは、前記受信機の識別子を含み、
前記受信機は、チャネルフィードバック報告を含むフィードバックフレームを生成し、及び、
前記フィードバックフレームを前記送信機に送信し、
前記フィードバックフレームを生成することは、
前記チャネルフィードバック報告を複数のフィードバックセグメントに分け、及び、
複数のセグメントフィードバックフレームを含ませて前記フィードバックフレームを生成することを含み、
前記複数のセグメントフィードバックフレームの各々は、
各々の前記複数のフィードバックセグメント；
含まれた前記複数のフィードバックセグメントの各々が最初のセグメントか否かを指示する最初のセグメントサブフィールド；及び、
残りのフィードバックセグメントの個数を指示する残りのセグメントサブフィールド；
を各々含むチャネルサウンディング方法。
（項目１１）
フレームを送信及び受信するトランシーバ（ｔｒａｎｓｃｅｉｖｅｒ）；及び、
前記トランシーバと機能的に結合して動作するプロセッサ（ｐｒｏｃｅｓｓｏｒ）；
を含み、
前記プロセッサは、
チャネルサウンディング手順を開始するためにＮＤＰＡフレームを受信機に送信し、
ＮＤＰを前記受信機に送信し、及び、
フィードバックフレームを前記受信機から受信するように設定され、
前記フィードバックフレームは、複数のセグメントフレーム及びチャネルフィードバック報告を含み、
前記チャネルフィードバック報告は、複数のフィードバックセグメントに分けられ、
前記複数のフィードバックセグメントの各々は、前記複数のセグメントフレームの各々に含まれ、
前記複数のセグメントフレームの各々は、
含まれた前記複数のフィードバックセグメントの各々が最初のセグメントか否かを指示する最初のセグメントサブフィールド（ｆｉｒｓｔ  ｓｅｇｍｅｎｔ  ｓｕｂｆｉｅｌｄ）；及び、
残りのフィードバックセグメントの個数を指示する残りのセグメントサブフィールド（ｒｅｍａｉｎｉｎｇ  ｓｕｂｆｉｅｌｄ）；
をさらに含むことを特徴とする無線装置。
【発明の効果】
【００２０】
本発明によるチャネルサウンディング手順によると、広帯域のチャネル帯域幅、ＭＵ−ＭＩＭＯ送信技法サポートにより増加されたチャネル情報を分けて送信するようになる。これはフィードバックされる全体チャネル情報のうち一部が損失されても、残り部分は正常なチャネル情報として活用されることができるようにしてフレーム送信の信頼度を高めることができる。
【００２１】
また、フィードバックされる全体チャネル情報のうち一部が損失された場合、該当チャネル情報に対して再送信を要求し、これに対応して再送信することができる。これはチャネルサウンディング手順のために、不要にチャネルに接近する時間を減らすようにすることによって、チャネルサウンディング方法の効率性が上昇され、無線ＬＡＮ全体の処理率も向上されることができる。
【図面の簡単な説明】
【００２２】
【図１】本発明の実施例が適用されることができる無線ＬＡＮ（Ｗｉｒｅｌｅｓｓ  Ｌｏｃａｌ  Ａｒｅａ  Ｎｅｔｗｏｒｋ；ＷＬＡＮ）システムの構成を示す。
【図２】本発明の実施例によるＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）フォーマットの一例を示すブロック図である。
【図３】次世代無線ＬＡＮシステムでＮＤＰ（ｎｕｌｌ  ｄａｔａ  ｐａｃｋｅｔ）を用いたチャネルサウンディング方法を示す。
【図４】受信信号の一部に破損（ｃｏｒｒｕｐｔｉｏｎ）が発生する一例を示す。
【図５】本発明の実施例に適用されることができるフィードバックフレームの一例を示す。
【図６】本発明の実施例によるチャネルサウンディング方法の一例を示す。
【図７】本発明の実施例によるサブフィードバックフレームに含まれることができるフィードバック制御フィールドのフォーマットを示すブロック図である。
【図８】本発明の実施例によるセグメントフィードバックフレームに含まれることができるチャネル情報フィールドフォーマットを示すブロック図である。
【図９】本発明の実施例によるフィードバックされるサブキャリアトーン（ｓｕｂｃａｒｒｉｅｒ  ｔｏｎｅ）の概念的位置を示す。
【図１０】本発明の実施例によるＮＤＰＡフレームフォーマットの一例を示す。
【図１１】本発明の実施例が適用されることができる無線装置を示すブロック図である。
【発明を実施するための形態】
【００２３】
図１は、本発明の実施例が適用されることができる無線ＬＡＮ（Ｗｉｒｅｌｅｓｓ  Ｌｏｃａｌ  Ａｒｅａ  Ｎｅｔｗｏｒｋ；ＷＬＡＮ）システムの構成を示す。
【００２４】
図１を参照すると、ＷＬＡＮシステムは一つまたはその以上の基本サービスセット（Ｂａｓｉｃ  Ｓｅｒｖｉｃｅ  Ｓｅｔ；ＢＳＳ）を含む。ＢＳＳは、成功的に同期化を行って互いに通信することができるステーション（Ｓｔａｔｉｏｎ；ＳＴＡ）の集合であり、特定領域を意味するものではない。
【００２５】
インフラストラクチャ（ｉｎｆｒａｓｔｒｕｃｔｕｒｅ）ＢＳＳは、一つまたはその以上の非ＡＰステーション（ｎｏｎ−ＡＰ  ＳＴＡ１、ｎｏｎ−ＡＰ  ＳＴＡ２、ｎｏｎ−ＡＰ  ＳＴＡ３、ｎｏｎ−ＡＰ  ＳＴＡ４、ｎｏｎ−ＡＰ  ＳＴＡ５）、分散サービス（Ｄｉｓｔｒｉｂｕｔｉｏｎ  Ｓｅｒｖｉｃｅ）を提供するＡＰ（Ａｃｃｅｓｓ  Ｐｏｉｎｔ）、及び複数のＡＰを連結させる分散システム（Ｄｉｓｔｒｉｂｕｔｉｏｎ  Ｓｙｓｔｅｍ；ＤＳ）を含む。インフラストラクチャＢＳＳではＡＰがＢＳＳの非ＡＰ  ＳＴＡを管理する。
【００２６】
反面、独立ＢＳＳ（Ｉｎｄｅｐｅｎｄｅｎｔ  ＢＳＳ；ＩＢＳＳ）は、アドホック（Ａｄ−Ｈｏｃ）モードに動作するＢＳＳである。ＩＢＳＳは、ＡＰを含まないため、中央で管理機能を遂行するエンティティ（Ｃｅｎｔｒａｌｉｚｅｄ  Ｍａｎａｇｅｍｅｎｔ  Ｅｎｔｉｔｙ）がない。即ち、ＩＢＳＳでは、非ＡＰ  ＳＴＡが分散された方式（ｄｉｓｔｒｉｂｕｔｅｄ  ｍａｎｎｅｒ）に管理される。ＩＢＳＳでは、全てのＳＴＡが移動ＳＴＡからなることができ、ＤＳへの接続が許容されないため自己完備的ネットワーク（ｓｅｌｆ−ｃｏｎｔａｉｎｅｄ  ｎｅｔｗｏｒｋ）を構築する。
【００２７】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ；ＭＡＣ）と無線媒体に対する物理層（Ｐｈｙｓｉｃａｌ  Ｌａｙｅｒ）インターフェースを含む任意の機能媒体であり、広義ではＡＰと非ＡＰステーション（Ｎｏｎ−ＡＰＳｔａｔｉｏｎ）の両方ともを含む。
【００２８】
非ＡＰ  ＳＴＡは、ＡＰでないＳＴＡであり、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動スクライバユニット（Ｍｏｂｉｌｅ  Ｓｕｂｓｃｒｉｂｅｒ  Ｕｎｉｔ）または単純にユーザなど、他の名称と呼ばれることもある。以下、説明の便宜のために、非ＡＰ  ＳＴＡはＳＴＡを意味する。
【００２９】
ＡＰは、該当ＡＰに結合された（Ａｓｓｏｃｉａｔｅｄ）ＳＴＡのために、無線媒体を経由してＤＳに対する接続を提供する機能エンティティである。ＡＰを含むインフラストラクチャＢＳＳでＳＴＡ間の通信はＡＰを経由して行われることが原則であるが、ダイレクトリンクが設定された場合にはＳＴＡ間でも直接通信が可能である。ＡＰは、集中制御器（ｃｅｎｔｒａｌ  ｃｏｎｔｒｏｌｌｅｒ）、基地局（Ｂａｓｅ  Ｓｔａｔｉｏｎ；ＢＳ）、ノードＢ、ＢＴＳ（Ｂａｓｅ  Ｔｒａｎｓｃｅｉｖｅｒ  Ｓｙｓｔｅｍ）、またはサイト制御器などと呼ばれることもある。
【００３０】
図１に示すＢＳＳを含む複数のインフラストラクチャＢＳＳは、分散システム（Ｄｉｓｔｒｉｂｕｔｉｏｎ  Ｓｙｓｔｅｍ；ＤＳ）を介して相互連結されることができる。ＤＳを介して連結された複数のＢＳＳを拡張サービスセット（Ｅｘｔｅｎｄｅｄ  Ｓｅｒｖｉｃｅ  Ｓｅｔ；ＥＳＳ）という。ＥＳＳに含まれるＡＰ及び／またはＳＴＡは互いに通信することができ、同じＥＳＳでＳＴＡはシームレス通信しつつ一つのＢＳＳから他のＢＳＳに移動することができる。
【００３１】
ＩＥＥＥ８０２．１１による無線ＬＡＮシステムで、ＭＡＣ（Ｍｅｄｉｕｍ  Ａｃｃｅｓｓ  Ｃｏｎｔｒｏｌ）の基本接続メカニズムは、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムである。ＣＳＭＡ／ＣＡメカニズムは、ＩＥＥＥ８０２．１１ＭＡＣの分配調整機能（Ｄｉｓｔｒｉｂｕｔｅｄ  Ｃｏｏｒｄｉｎａｔｉｏｎ  Ｆｕｎｃｔｉｏｎ；ＤＣＦ）と呼ばれることもあり、基本的に“ｌｉｓｔｅｎ  ｂｅｆｏｒｅ  ｔａｌｋ”接続メカニズムを採用している。このような類型の接続メカニズムによると、ＡＰ及び／またはＳＴＡは送信開始前に無線チャネルまたは媒体（ｍｅｄｉｕｍ）をセンシング（ｓｅｎｓｉｎｇ）する。センシング結果、媒体が休止状態（ｉｄｌｅ  ｓｔａｔｕｓ）であると判断されると、該当媒体を介してフレーム送信を開始する。反面、媒体が占有状態（ｏｃｃｕｐｉｅｄ  ｓｔａｔｕｓ）であると感知されると、該当ＡＰ及び／またはＳＴＡは、自体の送信を開始しないで媒体接近のための遅延期間を設定して待つ。
【００３２】
ＣＳＭＡ／ＣＡメカニズムは、ＡＰ及び／またはＳＴＡが媒体を直接センシングする物理的キャリアセンシング（ｐｈｙｓｉｃａｌ  ｃａｒｒｉｅｒ  ｓｅｎｓｉｎｇ）外に仮想キャリアセンシング（ｖｉｒｔｕａｌ  ｃａｒｒｉｅｒ  ｓｅｎｓｉｎｇ）も含む。仮想キャリアセンシングは、ヒドンノード問題（ｈｉｄｄｅｎ  ｎｏｄｅ  ｐｒｏｂｌｅｍ）などのように媒体接近上発生することができる問題を補完するためのことである。仮想キャリアセンシングのために、無線ＬＡＮシステムのＭＡＣは、ネットワーク割当ベクトル（Ｎｅｔｗｏｒｋ  Ａｌｌｏｃａｔｉｏｎ  Ｖｅｃｔｏｒ；ＮＡＶ）を用いる。ＮＡＶは、現在媒体を使用していたり、或いは使用する権限のあるＡＰ及び／またはＳＴＡが、媒体が利用可能な状態になるまで残っている時間を他のＡＰ及び／またはＳＴＡに指示する値である。従って、ＮＡＶで設定された値は、該当フレームを送信するＡＰ及び／またはＳＴＡにより媒体の使用が予定されている期間に該当する。
【００３３】
ＡＰ及び／またはＳＴＡは、媒体に接近しようとすることを知らせるために、ＲＴＳ（Ｒｅｑｕｅｓｔ  ｔｏ  Ｓｅｎｄ）フレーム及びＣＴＳ（Ｃｌｅａｒ  ｔｏ  Ｓｅｎｄ）フレームを交換する手順を実行することができる。ＲＴＳフレーム及びＣＴＳフレームは、実質的なデータフレーム送信及び受信確認応答（ａｃｋｎｏｗｌｅｄｇｅｍｅｎｔ）がサポートされる場合、受信確認フレーム（ａｃｋｎｏｗｌｅｄｇｅｍｅｎｔ  ｆｒａｍｅ；ＡＣＫ  ｆｒａｍｅ）の送受信に必要な無線媒体が接近予約された時間的な区間を指示する情報を含む。フレームを送信対象ＡＰ及び／またはＳＴＡから送信されたＲＴＳフレームを受信したり、或いはフレーム送信対象ＳＴＡから送信されたＣＴＳフレームを受信した他のＳＴＡは、ＲＴＳ／ＣＴＳフレームに含まれている情報が指示する時間的な区間中媒体に接近しないように設定されることができる。これは時間区間中ＮＡＶが設定されることによって具現されることができる。
【００３４】
既存無線ＬＡＮシステムと違って次世代無線ＬＡＮシステムでは、より高い処理率を要求する。これをＶＨＴ（Ｖｅｒｙ  Ｈｉｇｈ  Ｔｈｒｏｕｇｈｐｕｔ）といい、このために次世代無線ＬＡＮシステムでは、８０ＭＨｚ、連続的な１６０ＭＨｚ（ｃｏｎｔｉｇｕｏｕｓ  １６０ＭＨｚ）、非連続的な１６０ＭＨｚ（ｎｏｎ−ｃｏｎｔｉｇｕｏｕｓ  １６０ＭＨｚ）帯域幅送信及び／またはその以上の帯域幅送信をサポートしようとする。また、より高い処理率のために、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）送信方法を提供する。次世代無線ＬＡＮシステムにおけるＡＰは、ＭＩＭＯペアリングされた少なくとも一つ以上のＳＴＡに同時にデータフレームを送信することができる。図１のような無線ＬＡＮシステムで、ＡＰ１０は、自体と結合（ａｓｓｏｃｉａｔｉｏｎ）されている複数のＳＴＡ２１、２２、２３、２４、３０のうち少なくとも一つ以上のＳＴＡを含むＳＴＡグループにデータを同時に送信することができる。この時、各々のＳＴＡに送信されるデータは、互いに異なる空間ストリーム（ｓｐａｔｉａｌ  ｓｔｒｅａｍ）を介して送信されることができる。ＡＰ１０が送信するデータフレームは、無線ＬＡＮシステムの物理階層（Ｐｈｙｓｉｃａｌ  Ｌａｙｅｒ；ＰＨＹ）で生成されて送信されるＰＰＤＵ（ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）  Ｐｒｏｔｏｃｏｌ  Ｄａｔａ  Ｕｎｉｔ）と呼ばれることもある。本発明の例示でＡＰ１０とＭＵ−ＭＩＭＯペアリングされた送信対象ＳＴＡグループは、ＳＴＡ１、ＳＴＡ２、ＳＴＡ３、及びＳＴＡ４と仮定する。この時、送信対象ＳＴＡグループの特定ＳＴＡには空間ストリームが割り当てられなくてデータが送信されない場合もある。一方、ＳＴＡａ３０は、ＡＰと結合されているが、送信対象ＳＴＡグループには含まれないＳＴＡと仮定する。
【００３５】
図２は、本発明の実施例によるＰＰＤＵフォーマットの一例を示すブロック図である。
【００３６】
図２を参照すると、ＰＰＤＵ２００は、Ｌ−ＳＴＦフィールド２１０、Ｌ−ＬＴＦフィールド２２０、Ｌ−ＳＩＧフィールド２３０、ＶＨＴ−ＳＩＧＡフィールド２４０、ＶＨＴ−ＳＴＦフィールド２５０、ＶＨＴ−ＬＴＦフィールド２６０、ＶＨＴ−ＳＩＧＢフィールド２７０、及びデータフィールド２８０を含むことができる。
【００３７】
ＰＨＹを構成するＰＬＣＰ副階層（ｓｕｂｌａｙｅｒ）は、ＭＡＣ（Ｍｅｄｉｕｍ  Ａｃｃｅｓｓ  Ｃｏｎｔｒｏｌ）階層から伝達を受けたＰＳＤＵ（ＰＨＹ  Ｓｅｒｖｉｃｅ  Ｄａｔａ  Ｕｎｉｔ）に必要な情報を加えてデータフィールド２８０に変換し、Ｌ−ＳＴＦフィールド２１０、Ｌ−ＬＴＦフィールド２２０、Ｌ−ＳＩＧフィールド２３０、ＶＨＴ−ＳＩＧＡフィールド２４０、ＶＨＴ−ＳＴＦフィールド２５０、ＶＨＴ−ＬＴＦフィールド２６０、ＶＨＴ−ＳＩＧＢフィールド２７０などのフィールドを加えてＰＰＤＵ２００を生成し、ＰＨＹを構成するＰＭＤ（Ｐｈｙｓｉｃａｌ  Ｍｅｄｉｕｍ  Ｄｅｐｅｎｄｅｎｔ）副階層を介して一つまたはその以上のＳＴＡに送信する。
【００３８】
Ｌ−ＳＴＦフィールド２１０は、フレームタイミング獲得（ｆｒａｍｅ  ｔｉｍｉｎｇ  ａｃｑｕｉｓｉｔｉｏｎ）、ＡＧＣ（Ａｕｔｏｍａｔｉｃ  Ｇａｉｎ  Ｃｏｎｔｒｏｌ）コンバージェンス（ｃｏｎｖｅｒｇｅｎｃｅ）、粗い（ｃｏａｒｓｅ）周波数獲得などに使われる。
【００３９】
Ｌ−ＬＴＦフィールド２２０は、Ｌ−ＳＩＧフィールド２３０及びＶＨＴ−ＳＩＧＡフィールド２４０の復調のためのチャネル推定に使用する。
【００４０】
Ｌ−ＳＩＧフィールド２３０は、Ｌ−ＳＴＡがＰＰＤＵを受信してデータの獲得時に使われる。
【００４１】
ＶＨＴ−ＳＩＧＡフィールド２４０は、ＡＰとＭＩＭＯペアリングされた（ｐａｉｒｅｄ）ＳＴＡに必要な共用制御情報と関連するフィールドであり、受信されたＰＰＤＵ２００を解釈するための制御情報を含んでいる。ＶＨＴ−ＳＩＧＡフィールド２４０は、ＭＩＭＯペアリングされた複数のＳＴＡの各々に対する空間ストリームに対する情報、帯域幅（ｂａｎｄｗｉｄｔｈ）情報、ＳＴＢＣ（Ｓｐａｃｅ  Ｔｉｍｅ  Ｂｌｏｃｋ  Ｃｏｄｉｎｇ）を使用するか否かと関連する識別情報、送信対象ＳＴＡグループに対する識別情報であるグループ識別子（Ｇｒｏｕｐ  Ｉｄｅｎｔｉｆｉｅｒ）、グループ識別子が指示する送信対象グループＳＴＡに含まれたＳＴＡに割り当てられた空間ストリームに対する情報及び送信対象ＳＴＡの短いＧＩ（Ｇｕａｒｄ  Ｉｎｔｅｒｖａｌ）関連情報、コーディング情報、ＭＣＳ（ｍｏｄｕｌａｔｉｏｎ  ａｎｄ  ｃｏｄｉｎｇ  ｓｃｈｅｍｅ）情報、ビーム形成可否指示情報及びＣＲＣ関連情報を含む。ここで、グループ識別子は、現在使われたＭＩＭＯ送信方法がＭＵ−ＭＩＭＯか、或いはＳＵ−ＭＩＭＯかを含むことができる。ＶＨＴ−ＳＩＧＡフィールド２４０は、２個のＯＦＤＭシンボルを介して送信されることができる。この時、先行シンボルと関連するフィールドはＶＨＴ−ＳＩＧＡ１といい、後続するシンボルと関連するフィールドはＶＨＴ−ＳＩＧＡ２フィールドという。
【００４２】
ＶＨＴ−ＳＴＦフィールド２５０は、ＭＩＭＯ送信においてＡＧＣ推定の性能を改善するために使われる。
【００４３】
ＶＨＴ−ＬＴＦフィールド２６０は、ＳＴＡがＭＩＭＯチャネルの推定時に使われる。次世代無線ＬＡＮシステムは、ＭＵ−ＭＩＭＯをサポートするため、ＶＨＴ−ＬＴＦフィールド２６０は、ＰＰＤＵ２００が送信される空間ストリームの個数ほど設定されることができる。追加的に、フルチャネルサウンディング（ｆｕｌｌ  ｃｈａｎｎｅｌ  ｓｏｕｎｄｉｎｇ）がサポートされ、これが実行される場合、ＶＨＴ  ＬＴＦの数はより多くなることができる。
【００４４】
ＶＨＴ−ＳＩＧＢフィールド２７０は、ＭＩＭＯペアリングされた複数のＳＴＡがＰＰＤＵ２００を受信し、データの獲得時に必要な専用制御情報を含む。従って、ＶＨＴ−ＳＩＧＢフィールド２７０に含まれた共用制御情報が、現在受信されたＰＰＤＵ２００はＭＵ−ＭＩＭＯ送信されたものであることを意味する場合にのみ、ＳＴＡは、ＶＨＴ−ＳＩＧＢフィールド２７０をデコーディング（ｄｅｃｏｄｉｎｇ）するように設計されることができる。その反対に、共用制御情報が、現在受信されたＰＰＤＵ２００は単一ＳＴＡのためのもの（ＳＵ−ＭＩＭＯを含む）であることを意味する場合、ＳＴＡは、ＶＨＴ−ＳＩＧＢフィールド２７０をデコーディングしないように設計されることができる。
【００４５】
ＶＨＴ−ＳＩＧＢフィールド２７０は、各ＳＴＡに送信されるデータフィールドに含まれたＰＳＤＵの長さ情報、ＭＣＳ情報、及びデータフィールドに含まれたテール関連情報を含む。また、エンコーディング（ｅｎｃｏｄｉｎｇ）及びレートマッチング（ｒａｔｅ−ｍａｔｃｈｉｎｇ）に対する情報を含む。ＶＨＴ−ＳＩＧＢフィールド２７０の大きさは、ＭＩＭＯ送信の類型（ＭＵ−ＭＩＭＯまたはＳＵ−ＭＩＭＯ）及びＰＰＤＵ送信のために使用するチャネル帯域幅によって異なる。
【００４６】
データフィールド２８０は、ＳＴＡに送信が意図されるデータを含む。データフィールド２８０は、ＭＡＣ階層でのＭＰＤＵ（ＭＡＣ  Ｐｒｏｔｏｃｏｌ  Ｄａｔａ  Ｕｎｉｔ）が伝達されたＰＳＤＵ（ＰＬＣＰ  Ｓｅｒｖｉｃｅ  Ｄａｔａ  Ｕｎｉｔ）とスクランブラを初期化するためのサービス（ｓｅｒｖｉｃｅ）フィールド、コンボリューション（ｃｏｎｖｏｌｕｔｉｏｎ）エンコーダをゼロ状態（ｚｅｒｏ  ｓｔａｔｅ）に返す時に必要なビットシーケンスを含むテール（ｔａｉｌ）フィールド、及びデータフィールドの長さを規格化するためのパディングビットを含む。
【００４７】
図１のように示す無線ＬＡＮシステムで、ＡＰ１０がＳＴＡ１、ＳＴＡ２、及びＳＴＡ３にデータを送信しようとする場合、ＳＴＡ１、ＳＴＡ２、ＳＴＡ３、及びＳＴＡ４を含むＳＴＡグループにＰＰＤＵを送信することができる。この場合、図２のようにＳＴＡ４に割り当てられた空間ストリームはないように割り当てることができ、ＳＴＡ１、ＳＴＡ２、及びＳＴＡ３の各々に特定個数の空間ストリームを割り当て、これによってデータを送信することができる。図２のような例示において、ＳＴＡ１には１個の空間ストリーム、ＳＴＡ２には３個の空間ストリーム、ＳＴＡ３には２個の空間ストリームが割り当てられていることを知ることができる。
【００４８】
次世代無線ＬＡＮシステムでの大きい特徴のうち一つは、多重アンテナを用いて複数個の空間ストリームを複数のＳＴＡに送信するＭＵ−ＭＩＭＯ送信技法によりシステム全体の処理率（ｔｈｒｏｕｇｈｐｕｔ）を向上させることができるという点である。複数個のＳＴＡが存在する状況でデータ送信をしようとするＡＰは、送信対象ＳＴＡグループにデータを送信するために、ビーム形成手順に応じてＰＰＤＵを送信する。従って、ＰＰＤＵを送信しようとするＡＰ及び／またはＳＴＡは、送信対象ＳＴＡの各々に対するチャネル情報を必要とするため、チャネル情報獲得のために、チャネルサウンディング手順が要求される。
【００４９】
チャネルサウンディング手順は、大いに二つの方式がサポートされる。一つはデータフィールドが含まれた一般的なＰＰＤＵを介する方式であり、他の一つはデータフィールドが含まれないＮＤＰ（Ｎｕｌｌ  Ｄａｔａ  Ｐａｃｋｅｔ）を介する方式である。以下、ＮＤＰは、サウンディングフレーム（ｓｏｕｎｄｉｎｇ  ｆｒａｍｅ）と呼ばれることもある。
【００５０】
図３は、次世代無線ＬＡＮシステムでＮＤＰを用いたチャネルサウンディング方法を示す。本例示で、ＡＰは、３個の送信対象ＳＴＡにデータを送信するために、３個の送信対象ＳＴＡに対してチャネルサウンディングを実行する。ただし、ＡＰは、一つのＳＴＡに対してチャネルサウンディングを実行することもできる。
【００５１】
図３を参照すると、ＡＰ３１０は、ＳＴＡ１、ＳＴＡ２、ＳＴＡ３にＮＤＰＡフレームを送信する（Ｓ３１０）。ＮＤＰＡ（ＮＤＰ  ａｎｎｏｕｎｃｅｍｅｎｔ）フレームは、以後に送信されるＮＤＰに対応してフィードバックフレームを送信するＳＴＡを識別するための情報を知らせるためである。ＡＰ３１０は、ＮＤＰＡフレームにサウンディング対象ＳＴＡに対する情報を含むＳＴＡ情報フィールドをＮＤＰＡフレームに含ませて送信する。ＳＴＡ情報フィールドは、サウンディング対象ＳＴＡ毎に一つずつ含まれることができる。ＮＤＰＡフレームは、サウンディング通報フレーム（ｓｏｕｎｄｉｎｇ  ａｎｎｏｕｎｃｅｍｅｎｔ  ｆｒａｍｅ）と呼ばれることもある。
【００５２】
ＡＰ３１０は、図３に示すように、ＭＵ−ＭＩＭＯチャネルサウンディングのために少なくとも一つ以上のサウンディング対象ＳＴＡにＮＤＰＡフレームを送信する場合、ＮＤＰＡフレームをブロードキャスティングする。反面、ＳＵ−ＭＩＭＯチャネルサウンディングのために、一つのサウンディング対象ＳＴＡにＮＤＰＡフレームを送信しようとすると、ＮＤＰＡフレームに含まれた受信者住所情報を該当サウンディング対象ＳＴＡのＭＡＣ住所に設定し、ユニキャスト（ｕｎｉｃａｓｔ）で送信することができる。
【００５３】
下記表１は、ＮＤＰＡフレームに含まれるＳＴＡ情報フィールドフォーマットの一例を示す。
【００５４】
【表１】
0005493052.tif 000002
【００５５】
前記表１において、Ｎｃは、ＮＤＰを受信し、これに対する応答としてサウンディング対象ＳＴＡがＡＰに送信するフィードバック情報のうちビーム形成フィードバック行列（ｂｅａｍｆｏｒｍｉｎｇ  ｆｅｅｄｂａｃｋ  ｍａｔｒｉｃｅｓ）の列（ｃｏｌｕｍｎ）個数を指示する。
【００５６】
ＮＤＰＡフレームを受信したＳＴＡは、ＳＴＡ情報フィールドに含まれたＡＩＤサブフィールド値を確認し、自体がサウンディング対象ＳＴＡか否かを確認することができる。図３のような実施例で、ＮＤＰＡフレームには、ＳＴＡ１のＡＩＤを含むＳＴＡ情報フィールド、ＳＴＡ２のＡＩＤを含むＳＴＡ情報フィールド、及びＳＴＡ３のＡＩＤを含むＳＴＡ情報フィールドが含まれることができる。
【００５７】
ＡＰ３１０は、ＮＤＰＡフレーム送信の以後にＮＤＰをサウンディング対象ＳＴＡに送信する（Ｓ３２０）。ＮＤＰは、図２のようなＰＰＤＵフォーマットでデータフィールドが省略されたフォーマットを有することができる。ＮＤＰフレームは、ＡＰ３１０によりビーム形成され、少なくとも一つ以上の空間ストリームを介してサウンディング対象ＳＴＡに送信される。従って、サウンディング対象ＳＴＡ３２１、３２２、３２３は、ＮＤＰのＶＨＴ−ＬＴＦに基づいてチャネルを推定することができる。
【００５８】
ＮＤＰ送信時にＮＤＰに含まれた制御情報としてデータフィールドに含まれたＰＳＤＵの長さ、または前記ＰＳＤＵに含まれたＡ−ＭＰＤＵ（Ａｇｇｒｅｇａｔｅ−ＭＡＣ  ｐｒｏｔｏｃｏｌ  ｄａｔａ  ｕｎｉｔ）の長さを指示する長さ情報は０に設定され、ＮＤＰの送信対象ＳＴＡの数を指示する情報は１に設定される。ＮＤＰ送信のために使われた送信技法がＭＵ−ＭＩＭＯか或いはＳＵ−ＭＩＭＯかを指示し、送信対象ＳＴＡグループを指示するグループＩＤはＳＵ−ＭＩＭＯ送信を指示する値に設定される。送信対象ＳＴＡに割り当てられる空間ストリーム個数を指示する情報は、ＭＵ−ＭＩＭＯまたはＳＵ−ＭＩＭＯを介して送信対象ＳＴＡに送信される空間ストリームの個数を指示するように設定される。ＮＤＰ送信のために使われるチャネル帯域幅情報は、ＮＤＰＡフレーム送信のために使われた帯域幅値に設定されることができる。
【００５９】
ＳＴＡ１は、フィードバックフレームをＡＰ３１０に送信する（Ｓ３３１）。フィードバックフレーム送信に使われるチャネル帯域幅情報は、ＮＤＰＡフレーム送信のために使われたチャネル帯域幅より狭い、或いは同じに設定されることができる。
【００６０】
ＡＰ３１０は、ＳＴＡ１からフィードバックフレームを受信した後、フィードバックポールフレーム（ｆｅｅｄｂａｃｋ  ｐｏｌｌ  ｆｒａｍｅ）をＳＴＡ２に送信する（Ｓ３４１）。フィードバックポールフレームは、受信ＳＴＡがフィードバックフレーム送信を要求するためのフレームである。フィードバックポールフレームは、フィードバックフレーム送信を要求するＳＴＡにユニキャスト方式に送信される。フィードバックポールフレームを受信したＳＴＡ２は、ＡＰ３１０にフィードバックフレームを送信する（Ｓ３３２）。その後、ＡＰ３１０はＳＴＡ３にフィードバックポールフレームを送信し（Ｓ３４２）、ＳＴＡ３は、フィードバックポールフレームに対応してフィードバックフレームをＡＰ３１０に送信する（Ｓ３３３）。
【００６１】
無線ＬＡＮシステムでデータを送信するチャネル帯域幅は多様である。多様な帯域幅に対してチャネルを推定するために、多様な帯域幅に対するチャネル情報をフィードバックすることができる。次世代無線ＬＡＮシステムでは、２０ＭＨｚ、４０ＭＨｚ、８０ＭＨｚ、連続的な１６０ＭＨｚ（ｃｏｎｔｉｇｕｏｕｓ  １６０Ｍｈｚ）、及び非連続的な１６０（８０＋８０）ＭＨｚ（ｎｏｎｃｏｎｔｉｇｕｏｕｓ  １６０Ｍｈｚ）帯域幅をサポートする。従って、各帯域幅に対するチャネル情報をフィードバックするため、チャネルフィードバック情報が多くなることができる。
【００６２】
本発明でＳＴＡにより実行されるチャネル推定によるチャネル情報は、ＳＴＡがＡＰに送信するフィードバックフレームに含まれて送信される。フィードバックフレームは、チャネル情報フィールド及びチャネル情報制御フィールドを含む。下記表２及び表３は、チャネル情報制御フィールド及びチャネル情報フィールドのフォーマットを示す。
【００６３】
【表２】
0005493052.tif 000003
【００６４】
【表３】
0005493052.tif 000004
【００６５】
表３に記載されたチャネル情報フィールドの情報は、表２に記載されたチャネル制御フィールドに含まれた情報に基づいて解釈されることができる。
【００６６】
次世代無線ＬＡＮシステムでＭＵ−ＭＩＭＯ送信技法がサポートされるため、ＡＰとＭＵ−ＭＩＭＯペアリングされた複数のＳＴＡ間のチャネルらが増加され、処理率（ｔｈｒｏｕｇｈｐｕｔ）増加のためにより広帯域のチャネル帯域幅がサポートされるため、ＳＴＡによりフィードバックされるチャネル情報の量が大幅増加されることができる。例えば、８個の空間ストリームに対するＳＮＲ情報を送信し、１６０ＭＨｚ帯域幅に対応するフィードバック情報を送信する過程で一部送信時間中に干渉信号（ｉｎｔｅｒｆｅｒｅｎｃｅ  ｓｉｇｎａｌ）が受信されることができ、該当時間に正常に受信されることが意図される部分に破損（ｃｏｒｒｕｐｔｉｏｎ）が発生することができる。これに対する例示は図４を参照することができる。
【００６７】
フィードバックフレームの全てを同じチェックサム（ｃｈｅｃｋｓｕｍ）によりエラー検出（ｅｒｒｏｒ  ｄｅｔｅｃｔｉｏｎ）をした場合、フィードバックフレームの受信者は、いずれの部分にエラーが発生したかを確認する方法がなく、全体フィードバックフレームを破棄しなければならない状態となる。また、フィードバックフレームの送信者は、再び大きいサイズのチャネル情報をフィードバックフレームに含ませて送信し、このためにチャネルを占有するため、無線ＬＡＮシステムの全般的な処理率が低下されることができる。
【００６８】
前記のようにフィードバックするチャネル情報が多い場合、チャネル情報を帯域幅または空間ストリームを基準に分け、これを各々のフィードバックユニットに送信することを提案する。以下、帯域幅を基準に分ける方法に対して詳細に説明するが、これは空間ストリームを基準に分ける方法に拡張されて適用されることができる。
【００６９】
送信するデータシーケンスの長さがあまりに長くなった場合、これを分けてデータユニットに送信することができる。ただし、フィードバックするチャネル情報を任意のビット単位に分けると、特定フィードバックユニットはその自体のみでは復調が可能（ｓｅｌｆ−ｄｅｃｏｄａｂｌｅ）でなく、その以前のビット情報を知っている場合にのみ復調して理解可能な情報として活用されることができる。このような問題点を防止するために、特定帯域幅または空間ストリーム単位にセグメント化し、各セグメントがその自体で復調が可能にする必要がある。例えば、帯域幅別チャネル情報をフィードバックする時、チャネル情報を分けて複数個のデータユニットに含ませ、複数個のデータユニットをＡ−ＭＰＤＵ（Ａｇｇｒｅｇａｔｅｄ  ＭＡＣ  ｐｒｏｔｏｃｏｌ  ｄａｔａ  ｕｎｉｔ）に生成し、これを送信することができる。この時、各チャネル情報は、ＭＡＣエンティティにより交換されるデータユニットであるＭＰＤＵ（ＭＡＣ  ｐｒｏｔｏｃｏｌ  ｄａｔａ  ｕｎｉｔ）の各々に含まれ、Ａ−ＭＰＤＵは、複数個のＭＰＤＵを含む構造であり、物理階層で管理されるサービスデータユニットである一つのＰＳＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  Ｓｅｒｖｉｃｅ  Ｄａｔａ  Ｕｎｉｔ）として送信または運搬（ｔｒａｎｓｐｏｒｔ）されることができる。
【００７０】
図５は、本発明の実施例に適用されることができるフィードバックフレームの一例を示す。
【００７１】
図５を参照すると、本発明の実施例によるフィードバックフレーム５００は、Ａ−ＭＰＤＵフォーマットを有し、ここにプリアンブル及びＰＬＣＰヘッダが付加されてＰＰＤＵ形態に送信されることができる。フィードバックフレーム５００は、４個のサブフィードバックフレーム５１０、５２０、５３０、５４０を含む。ただし、図５に示すサブフィードバックフレームの特定個数は、一例に過ぎず、チャネル情報の大きさに応じて多くなるか、或いは少なくなることができる。各々のサブフィードバックフレームは、ＭＰＤＵのフォーマットを有することができる。各々のサブフィードバックフレームは、セグメント化されたセグメントフィードバックチャネル情報（ｓｅｇｍｅｎｔ  ｆｅｅｄｂａｃｋ  ｃｈａｎｎｅｌ  ｉｎｆｏｒｍａｔｉｏｎ）を含む。セグメントフィードバックチャネル情報は、特定空間ストリームに対するチャネル情報または特定帯域幅に対するチャネル情報であり、本例示においては特定チャネル帯域幅に対するチャネル情報を意味する。複数個のセグメントフィードバックチャネル情報は、最後のセグメントを除いてはその量が同じに設定されることができる。
【００７２】
図５を参照すると、サブフィードバックフレーム４を受信する時点に干渉信号が共に検出されるため、ＡＰは、第４のセグメントフィードバックチャネル情報は正常に獲得することができない。既存チャネルサウンディング方法によると、受信信号干渉によりフィードバックチャネル情報のうち一部が正常に受信されない場合、フィードバックチャネル情報全体に対して再送信を要求した。反面、本発明の実施例のように、サウンディング対象ＳＴＡがフィードバックチャネル情報をセグメント化してＡ−ＭＰＤＵ形態に送信する場合、フィードバックチャネル情報のうち一部に信号干渉が作用しても該当する部分を含むセグメントフィードバックチャネル情報に対して再送信を要求することができる。これは、特定セグメントフィードバックチャネル情報の再送信のために、ＳＴＡにリポートポールフレーム（ｒｅｐｏｒｔ  ｐｏｌｌ  ｆｒａｍｅ）を送信する方法により実行されることができる。
【００７３】
図６は、本発明の実施例によるチャネルサウンディング方法の一例を示す。
【００７４】
図６を参照すると、ＡＰ６１０は、ＳＴＡ１、ＳＴＡ２にＮＤＰＡフレームを送信する（Ｓ６１０）。ＮＤＰＡフレームは、ＮＤＰ送信以前にフィードバックフレームを送信するＳＴＡを識別するための情報を知らせるためのものである。ＡＰ６１０は、ＮＤＰＡフレームにサウンディング対象ＳＴＡであるＳＴＡ１、ＳＴＡ２に対する情報を含むＳＴＡ情報フィールドをＮＤＰＡフレームに含ませて送信する。ＮＤＰＡフレームに含まれるＳＴＡ情報フィールドのフォーマット及び含まれた情報は、図３を参照して説明したＳＴＡ情報フィールドと同様である。
【００７５】
ＡＰ６１０は、ＮＤＰＡフレーム送信の以後にＮＤＰフレームをＳＴＡ１及びＳＴＡ２に送信する（Ｓ６２０）。ＮＤＰは、ＡＰ６１０によりビーム形成され、少なくとも一つ以上の空間ストリームを介してＳＴＡ１及びＳＴＡ２に送信される。従って、ＳＴＡ１及びＳＴＡ２は、ＮＤＰのＶＨＴ−ＬＴＦを介してチャネルを推定することができる。ＮＤＰに含まれた制御情報は、図３を参照して説明した実施例のＮＤＰと同様である。
【００７６】
ＳＴＡ１はフィードバックフレームをＡＰ６１０に送信する（Ｓ６３１）。フィードバックフレーム送信に使われるチャネル帯域幅情報は、ＮＤＰＡフレーム送信のために使われたチャネル帯域幅より狭い、或いは同じに設定されることができる。フィードバックフレームのフォーマットは、図５に示すフィードバックフレームフォーマットのようにセグメントフィードバック情報を含むサブフィードバックフレーム４個を含む。
【００７７】
フィードバックフレームに含まれて送信されるサブフィードバックフレームには一個のセグメントフィードバックチャネル情報が含まれて送信され、大きい帯域幅に対するフィードバックチャネル情報を送信する時には複数個のセグメントフィードバックチャネル情報を介して送信することができる。この時、セグメントフィードバック情報を自己理解可能及び自己デコーディング可能（ｓｅｌｆ  ｕｎｄｅｒｓｔａｎｄａｂｌｅ／ｄｅｃｏｄａｂｌｅ）に作るために、セグメントフィードバックチャネル情報別にセグメントフィードバックチャネル情報の解釈に必要な制御情報をさらに含ませて送信する。図７及び図８を参照してより詳細に説明する。
【００７８】
図７は、本発明の実施例によるセグメントフィードバックフレームに含まれることができるフィードバック制御フィールドのフォーマットを示すブロック図である。セグメントフィードバック制御フィールドは、セグメントフィードバックフレームに含まれたセグメントフィードバック情報を解釈するために必要な制御情報を含む。
【００７９】
図７を参照すると、フィードバック制御フィールド７００は、Ｎｃインデックスサブフィールド７１０、Ｎｒインデックスサブフィールド７２０、チャネル帯域幅サブフィールド７３０、グルーピングサブフィールド７４０、コードブック情報サブフィールド７５０、ＭＵ（ｍｕｌｔｉ  ｕｓｅｒ）−方式サブフィールド７６０、セグメント情報サブフィールド７７０、及びサウンディングシーケンスサブフィールド７８０を含む。セグメント情報サブフィールド７７０を除いた残りのサブフィールドは、表２のような情報を含み、それによって設定されることができる。
【００８０】
セグメント情報サブフィールド７７０は、セグメントフィードバック情報がいずれのセグメントに該当する情報かを指示する情報を含む。セグメント情報サブフィールドは、残りのセグメント（ｒｅｍａｉｎｉｎｇ  ｓｅｇｍｅｎｔ）サブフィールド７７１及び最初のセグメント（ｆｉｒｓｔ  ｓｅｇｍｅｎｔ）サブフィールド７７２を含む。
【００８１】
残りのセグメントサブフィールド７７１は、関連されているフィードバックフレームに残りのセグメントフィードバックチャネル情報の個数を指示する情報を含む。例えば、現在確認された残りのセグメントサブフィールド値が５の場合、５個のセグメントフィードバックチャネル情報がさらに存在することを知ることができる。セグメント化されたフィードバックフレームが送信される場合やセグメント化されないフィードバックフレームが送信される場合、残りのセグメントサブフィールド７７１は、‘０’に設定されて送信される。セグメントフィードバックチャネル情報が再送信される場合、残りのセグメントサブフィールド７７１は、本来送信時にセグメントフィードバックチャネル情報に対して設定された値と同じに設定されることができる。
【００８２】
最初のセグメントサブフィールド７７２は、セグメント化されたフィードバックフレームの特定セグメントフィードバックチャネル情報が最初のセグメントに該当したり、或いはセグメント化されないフィードバックフレームが送信される場合には‘１’に設定されることができ、その他の場合には‘０’に設定されることができる。セグメントフィードバックチャネル情報が再送信される場合、最初のセグメントサブフィールド７７２は、本来送信時にセグメントフィードバックチャネル情報に対して設定された値と同じに設定されることができる。
【００８３】
ＡＰは、サブフィードバックフレームを受信すると、残りのセグメントサブフィールド７７１及び最初のセグメントサブフィールド７７２に設定された値により該当フレームが何番目のセグメントフィードバックチャネル情報を含んでいるかを知ることができ、特定セグメントフィードバックチャネルが正常に受信されたか否かを判断することができる。例えば、最初のセグメントサブフィールド７７２が‘１’に設定されたサブフィードバックフレームを受信することができない場合、最初のセグメントフィードバックチャネル情報を正常に受信することができないことを判断することができる。また、残りのセグメントサブフィールド７７１値を確認し、特定個数から０個まで順次減少したか否かにより、欠落されたセグメントフィードバックチャネル情報の有無を判断することができる。
【００８４】
図８は、本発明の実施例によるセグメントフィードバックフレームに含まれることができるチャネル情報フィールドフォーマットを示すブロック図である。ＳＴＡが送信するセグメントフィードバックチャネル情報は、チャネル情報フィールドに含まれて送信される。
【００８５】
図８を参照すると、チャネル情報フィールド８００は、空間ストリームに対する平均ＳＮＲ値を指示する複数のＳＮＲサブフィールド８１０及びフィードバック行列（ｆｅｅｄｂａｃｋ  ｍａｔｒｉｘ）サブフィールド８２０を含む。ＳＮＲサブフィールドの各々は、特定空間ストリームまたは空間ストリームセットに対して受信者側ＳＮＲ値を指示する。フィードバック行列サブフィールド８２０は、セグメントフィードバック情報であり、フィードバック行列と関連する値を含む。
【００８６】
一方、空間ストリームに対するＳＮＲ値を指示する情報は、１回にかけて送信されれば十分であるため、複数個のセグメントフィードバックフレームに各々含まれて送信される必要がない。従って、フィードバックフレームにおける特定セグメントフィードバックフレームはＳＮＲサブフィールドを含むが、その他のセグメントフィードバックフレームはＳＮＲサブフィールドを含まないように設定されることができる。または、具現によって全てのセグメントフィードバックフレームにＳＮＲサブフィールドを含ませて送信することができる。これはＳＮＲサブフィールドが一つのセグメントフィードバックフレームに含まれて送信されたが、ＡＰ及び／または受信ＳＴＡが該当セグメントフィードバックフレームを正常に受信することができない場合、空間ストリーム別ＳＮＲ情報を再び受けるまで遅延（ｄｅｌａｙ）問題が発生することができるためである。
【００８７】
また、図６を参照すると、ＳＴＡ１がサブフィードバックフレーム１、２、及び４を受信する時には信号干渉が発生しないため、正常にデコーディングして第１、第２、第４のセグメントフィードバックチャネル情報を正常に獲得した。反面、サブフィードバックフレーム３を受信する時には、信号干渉６０が発生して第３のサブフィードバックフレームに対しては正常にデコーディングを実行することができず、結局、第３のセグメントフィードバックチャネル情報を獲得することができない。従って、ＡＰ６１０は、ＳＴＡ１に正常に受信することができないためデコーディングをすることができない第３のセグメントフィードバックチャネル情報に対して再送信を要求しなければならない。
【００８８】
ＡＰ６１０は、ＳＴＡ１に第３のセグメントチャネルフィードバック情報再送信を要求するために、フィードバックリポートポール（ｆｅｅｄｂａｃｋ  ｒｅｐｏｒｔ  ｐｏｌｌ）フレームを送信する（Ｓ６４１）。ＡＰ６１０が送信するフィードバックリポートポールフレームは、再送信を希望するセグメントフィードバックチャネル情報を指示する情報を含む。特に、複数個のセグメントフィードバックチャネル情報のうち任意のセグメントフィードバックチャネル情報を要求する指示情報が含まれる場合、指示情報は、ビットマップ（ｂｉｔｍａｐ）形態に具現されることができる。このために、フィードバックリポートポールフレームは、セグメント再送信指示フィールド（ｓｅｇｍｅｎｔ  ｒｅｔｒａｎｓｍｉｓｓｉｏｎ  ｉｎｄｉｃａｔｉｏｎ  ｆｉｅｌｄ）を含むことができる。セグメント再送信指示フィールドを構成するビット列のうち特定ビットが‘１’に設定されている場合、該当ビットと関連するセグメントフィードバックチャネル情報の再送信を要求すると解釈することができる。ただし、‘０’値が再送信要求を意味すると設定されることもできる。図６のような例示において、Ｓ６４１ステップでＡＰ６１０により送信されるフィードバックリポートポールフレームに含まれたセグメント再送信指示フィールドを構成するビット列は‘００１０’に設定されることができる。
【００８９】
ＳＴＡ１は、フィードバックリポートポールフレームを受信し、セグメント再送信指示フィールドの値を確認して第３セグメントフィードバックチャネル情報の再送信が必要であることを知ることができる。ＳＴＡ１は、フィードバックリポートポールフレームに対応してフィードバックフレームをＡＰ６１０に送信する（Ｓ６３２）。フィードバックフレームは、セグメント再送信指示フィールドが指示する再送信対象セグメントフィードバックチャネル情報である第３のセグメントフィードバックチャネル情報のみを含んだり、或いは全体セグメントフィードバックチャネル情報を全部含むことができる。再送信するフィードバックフレームは、図７及び図８に示すフォーマットのようなフィードバック制御フィールドとチャネル情報フィールドを含むことができる。
【００９０】
ＡＰ６１０は、ＳＴＡ１から再送信要求したセグメントフィードバックチャネル情報を受信した後、フィードバックリポートポールフレームをＳＴＡ２に送信する（Ｓ６４２）。ＡＰ６１０は、ＳＴＡ２にフィードバックチャネル情報全体を要求しなければならないため、リポートポールフレームは、セグメントフィードバックチャネル情報全体を指示するように設定されたセグメント再送信指示フィールドを含むことができる。このように、ＡＰ６１０は、チャネルサウンディング方法を進行することにおいて、最初にフィードバックフレームを送信する対象ＳＴＡでないＳＴＡにチャネルフィードバック情報を獲得しようとする場合、全体セグメントフィードバックチャネル情報を指示するように設定されたセグメント再送信指示フィールドを含むフィードバックリポートポールフレームをＳＴＡに送信するようにすることができる。
【００９１】
ＳＴＡ２は、ＡＰ６１０から受信したリポートポールフレームに対応してチャネル推定情報を含むフィードバックフレームをＡＰ６１０に送信する（Ｓ６３３）。ＳＴＡ２が送信するフィードバックフレームは、図７及び図８に示すフォーマットのようなフィードバック制御フィールドとチャネル情報フィールドを含むことができる。
【００９２】
セグメントフィードバック情報の定義時に、本発明の実施例では追加的に帯域幅を２０ＭＨｚ、４０ＭＨｚまたは８０ＭＨｚに区分することを提案する。
【００９３】
図９は、本発明の実施例によるフィードバックされるサブキャリアトーン（ｓｕｂｃａｒｒｉｅｒ  ｔｏｎｅ）の概念的位置を示す。
【００９４】
図９を参照すると、８０ＭＨｚのフィードバック情報を２０Ｍｈｚ単位に分け、複数個のセグメントフィードバックチャネル情報を生成し、各セグメントフィードバックチャネル情報毎にＭＰＤＵフォーマットによるサブフィードバックフレームを構成し、これをＡ−ＭＰＤＵ形態にフィードバックすることができる。セグメント化する帯域幅基準は、２０ＭＨｚだけでなく、４０ＭＨｚまたはその以上の特定帯域幅値になることができる。このようにフィードバックチャネル情報を分けて送信する場合、セグメントフィードバックチャネル情報をインデックス化し、これに対する指示情報を提供することが必要である。
【００９５】
追加的に、ＡＰが一つのＳＴＡにチャネルサウンディングを実行する時には必ずリポートポールフレームを使用してサウンディングを実行せず、ＮＤＰＡフレームとＮＤＰフレームを送信して個別的にＳＴＡにフィードバック行列やチャネル係数（ｃｈａｎｎｅｌ  ｃｏｅｆｆｉｃｉｅｎｔ）のようなフィードバック情報を得ることができる。
【００９６】
１回にかけてサウンディングをしてフィードバックを受ける時、特定セグメントフィードバックチャネル情報を正常に受信することができない場合、再びＮＤＰＡフレームとＮＤＰフレームの送信を介して特定セグメントフィードバックチャネル情報を選択的に受信することができるようにする方法を提案する。
【００９７】
このためには、特定セグメントフィードバックチャネル情報を選択的に送信することを要求する指示情報をＮＤＰＡフレームに含ませて送信することができる。このように、ＮＤＰＡフレームとＮＤＰフレームを再活用してセグメントフィードバックチャネル情報の再送信を要求するのは、特定一つのＳＴＡに対して再送信を要求する場合であるため、ＮＤＰＡフレームのＳＴＡ情報フィールドは一つのＳＴＡに対するフィールドのみ含まれている。
【００９８】
また、ＡＰが複数個のＳＴＡにチャネルサウンディングを実行する時、特定ＳＴＡに対して選択的に特定セグメントフィードバックチャネル情報のみをフィードバックすることを要求することができる。
【００９９】
図１０は、本発明の実施例によるＮＤＰＡフレームフォーマットの一例を示す。
【０１００】
図１０を参照すると、ＮＤＰＡフレーム１０００は、フレーム制御フィールド１０１０、持続時間フィールド１０２０、受信者住所フィールド（ｒｅｃｅｉｖｅｒ  ａｄｄｒｅｓｓ；ＲＡ）１０３０、送信者住所フィールド（ｔｒａｎｓｍｉｔｔｅｒ  ａｄｄｒｅｓｓ；ＴＡ）１０４０、サウンディングシーケンスフィールド１０５０、少なくとも一つ以上のＳＴＡ情報フィールド１０６０、及びＦＣＳフィールド１０７０を含む。
【０１０１】
フレーム制御フィールド１０１０は、ＮＤＰＡフレーム１０００に対する制御情報を含む。持続時間フィールド１０２０は、ＮＤＰＡフレーム１０００の長さ情報を含む。受信者住所フィールド１０３０は、ブロードキャスト住所に設定されることができるが、一つの特定ＳＴＡにサウンディングを要求する場合には該当ＳＴＡのＭＡＣ住所に設定されることができる。送信者住所フィールド１０４０は、ＮＤＰＡフレーム１０００を送信するＡＰのＭＡＣ住所に設定されることができる。サウンディングシーケンスフィールド１０５０は、現在サウンディングシーケンスに対するシーケンス番号に設定される。ＦＣＳフィールド１０７０は、フレーム送受信のためのＣＲＣ関連情報を含んでいる。
【０１０２】
ＳＴＡ情報フィールド１及びＳＴＡ情報フィールド２は、サウンディング対象ＳＴＡ１及びＳＴＡ２のＡＩＤを指示するＡＩＤサブフィールド１０６１ａ、１０６２ａ、サウンディング対象ＳＴＡに対するフィードバック要求タイプを指示するフィードバックタイプサブフィールド１０６１ｂ、１０６２ｂ、及びフィードバック次元を指示するＮｃインデックスサブフィールド１０６１ｃ、１０６２ｃを含む。ＳＴＡ情報フィールド１０６０の個数は、サウンディング対象ＳＴＡの個数によって変更可能であり、本実施例は２個のＳＴＡにサウンディングを要求する例示に過ぎない。
【０１０３】
ただし、ＡＰがＳＴＡ１に選択的にセグメントフィードバックチャネル情報に対する再送信を要求する場合、ＳＴＡ１に対するＳＴＡ情報フィールド１０６１は、追加的にセグメント再送信指示サブフィールド１０６１ｄをさらに含むことができる。セグメント再送信指示サブフィールド１０６１ｄは、前述したリポートポールフレームに含まれたセグメント再送信指示サブフィールドのように設定されることができる。
【０１０４】
前記のようなフレームフォーマットを有するＮＤＰＡフレームをＡＰがブロードキャストする場合、ＳＴＡ１、ＳＴＡ２は、ＮＤＰＡフレーム１０００を受信し、ＳＴＡ情報フィールド１０６１、１０６２のＡＩＤサブフィールド１０６１ａ、１０６２ａを介して自体のためのＮＤＰＡフレームであることを知ることができる。その後、ＡＰがＮＤＰフレームを送ると、各々、フィードバックフレームをＡＰに送信し、ＳＴＡ１は、ＮＤＰＡフレーム１０００に含まれたセグメント再送信指示サブフィールド１０６１ｄが指示するセグメントフィードバックチャネル情報のみをフィードバックすることができる。
【０１０５】
図１１は、本発明の実施例が適用されることができる無線装置を示すブロック図である。無線装置は、ＡＰまたはＳＴＡである。
【０１０６】
無線装置１１００は、プロセッサ１１１０、メモリ１１２０、及びトランシーバ（ｔｒａｎｓｃｅｉｖｅｒ）１１３０を含む。トランシーバ１１３０は、無線信号を送信／受信し、ＩＥＥＥ８０２．１１の物理階層が具現される。プロセッサ１１１０は、トランシーバ１１３０と機能的に連結され、ＩＥＥＥ８０２．１１のＭＡＣ階層及び物理階層を具現する。プロセッサ１１１０は、本発明が提案するＮＤＰＡフレーム、ＮＤＰ、フィードバックリポートポールフレームを生成して送信するように設定されることができ、また、送信されたフレームを受信し、含まれたフィールド値を解釈して制御情報を獲得するように設定されることができる。また、フレームに含まれた要求情報に対応してフィードバックチャネル情報を送信したり、或いは選択的にセグメントフィードバックチャネル情報を送信するように設定されることができる。プロセッサは、図２及び図１０を参照して前述した本発明の実施例を具現するように設定されることができる。
【０１０７】
プロセッサ１１１０及び／またはトランシーバ１１３０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ１１２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。実施例がソフトウェアで具現される時、前述した技法は前述した機能を遂行するモジュール（過程、機能など）で具現されることができる。モジュールは、メモリ１１２０に格納され、プロセッサ１１１０により実行されることができる。メモリ１１２０は、プロセッサ１１１０の内部または外部にあり、よく知られた多様な手段でプロセッサ１１１０と連結されることができる。
【０１０８】
以上で詳細に説明した本発明の実施例は、単に本発明の技術思想を示すための例示に過ぎず、前記実施例により本発明の技術思想が限定されると解釈されてはならない。本発明の保護範囲は、本発明の特許請求の範囲により特定される。
【図１】
0005493052.tif 000005
【図２】
0005493052.tif 000006
【図３】
0005493052.tif 000007
【図４】
0005493052.tif 000008
【図５】
0005493052.tif 000009
【図６】
0005493052.tif 000010
【図７】
0005493052.tif 000011
【図８】
0005493052.tif 000012
【図９】
0005493052.tif 000013
【図１０】
0005493052.tif 000014
【図１１】
0005493052.tif 000015